(57)【要約】【課題】転倒防止対象物の背丈に対応し、しかも、天井部の強度等に関係なく設置用い得ると共に転倒防止対象物に取付傷等をもたらすことなく、しかも、容易に当該転倒防止対象物を随意に取り外し移動できる転倒防止具の提供。【解決手段】壁に対する取付部と、当該取付部から突き出されているアーム部と、このアーム部に備えられている雌ねじ孔部に螺合されて上下方向に螺動自在とされるロッド体とを備え、前記取付部で壁に止着され、かつ、螺動される前記ロッド体を家具等の転倒防止対象物の上面に押しつけ得るようにしてある。【選択図】図２
2007143642.tif 000002
【特許請求の範囲】
【請求項１】
壁に対する取付部と、当該取付部から突き出されているアーム部と、このアーム部に備えられている雌ねじ孔部に螺合されて上下方向に螺動自在とされるロッド体とを備え、
前記取付部で壁に止着され、かつ、螺動される前記ロッド体を家具等の転倒防止対象物の上面に押しつけ得るようにしてあることを特徴とする転倒防止具。
【請求項２】
前記取付部を上下方向に長い板状取付部としてあることを特徴とする請求項１に記載の転倒防止具。
【発明の詳細な説明】
【技術分野】
【０００１】
この発明は、地震発生時における家具等の住宅備え付け設備の転倒を効果的に防止し、住宅備え付け設備の転倒等に伴って生ずる各種被害を効果的に防止し得るようにした転倒防止具の提供に関する。
【背景技術】
【０００２】
地震動による家具等の住宅備え付け設備の転倒に伴う被害は、発生地震動が大きくなるにつれて加速度的に増す傾向にあり、住宅備え付け設備の転倒に伴う直接的な被害と共に転倒した各種備え付け設備が避難や救援等の各種動作の妨げとなって円滑な避難、円滑な救援等を大幅に阻害する不具合があり、また、転倒した家具等に着火して火災を生ずる等の不具合があった。
【０００３】
かかる点から、地震発生時に家具等の住宅備え付け設備が転倒しないように当該住宅備え付け設備を壁面等に粘着剤で粘着させて、その転倒を防止するように工夫したものがある。しかしながら、このような粘着剤による住宅備え付け設備の転倒防止手段は、経時的に粘着剤が劣化することから長期間にわたって安定して住宅備え付け設備の転倒防止手段として機能させるには難があった。また、かかる粘着剤による住宅備え付け設備の転倒防止手段は、備え付け設備の移動等に際して粘着面が露出され、この露出粘着面に汚れが付着することから壁や家具等の外観を著しく損なう不具合があった。
【０００４】
また、かかる住宅備え付け設備の地震時における転倒を防止するために、当該住宅備え付け設備の上部側に一端を止着したワイヤーや針金等の他端を柱等に止着するようにしたものがある。しかしながら、このようなワイヤーや針金によって転倒を防止するようにした住宅備え付け設備にあっては、このワイヤーや針金の張られた向き以外の向きに備え付け設備が地震動で移動された際に当該移動を阻止することができず、また、この張設されているワイヤーや針金を緩める向きに備え付け設備が地震動で移動した際に当該備え付け設備の転倒防止機能が損なわれて、例えば、ワイヤーや針金で吊された態様に備え付け設備が傾倒される等の不具合があった。
【０００５】
かかる点から、家具等の住宅備え付け設備の転倒を防止する他の手段として、例えば、特許文献１では、下固定ベースの中央部に立設した螺軸の下端部に固定ナットを螺合するとともに中間部に調整ナットを螺合し、この両ナットの外側部にカバー支菅を嵌挿し、少なくともこのカバー支管の下端部は前記固定ナットに係合する形状に形成し、前記カバー支管の上側方には調整支管を任意数連結し、前記調整ナットと最初段の調整支管の下端部との間に弾機を介装し、最上段の調
整支管の上端部を上固定ベースの中央部に突設した固定支管に嵌合して成る家具類の転倒防止装置が提案されている。
【０００６】
また、例えば、特許文献２では、一方が家具類に固着され他方が壁面に固着される一対のアームと、一対の舌片がL字形に連設された連結具とから成り、前記各アームをそれぞれ各舌片に回動自在に連結した家具類の転倒防止具が提案されている。
【特許文献１】特許第２７６２３９２号
【特許文献２】特許第２６３６８０１号
【発明の開示】
【発明が解決しようとする課題】
【０００７】
しかしながら、特許文献１に開示されている家具類の転倒防止装置は、当該転倒防止具を用いる部分の天井部分が、地震発生時において家具等に生ずる揺れを当該転倒防止具と共に受け得る強度を備えている必要があり、一般的な天井構造にあっては別段に当該転倒防止具を受ける補強手段を設ける必要があった。
【０００８】
また、かかる特許文献１に開示されている家具類の転倒防装置を、背丈の低い家具の転倒防止手段として用いる場合、天井と家具との間に連設された各支管が林立する態様とされ、この林立する支管が居住空間の壁面に沿った部分の使い勝手を著しく損なうと共に、壁際がすっきりとしない煩雑な空間とされる不具合があった。
【０００９】
また、前記特許文献２に開示されている家具類の転倒防止具は、当該転倒防止具における一方の舌片を家具側に、他方の舌片を壁等に止着し、この転倒防止具によって家具類を壁等に直接固定するようにしてあることから、これらの固定家具類の手入れや、家具類の背後側の清掃や、家具類の背後方の壁面の修理等のように家具類を固定対象である壁等から一旦取り外す必要のある場合、容易に対応しきれない不具合があった。
【００１０】
また、かかる特許文献２に開示されている転倒防止具にあっては、転倒防止対象とされる家具類にビス止め等の傷をもたらし家具類の商品価値や外観審美性を著しく損なう不具合があった。
【００１１】
この発明は、従来の家具類の転倒防止手段における不具合を解消し、転倒防止対象とされている家具類に何らの傷等をもたらすことなく、しかも、転倒防止対象家具類の設置位置に何らの制約を受けること無く、各家具類におけるそれぞれの高さに対応してコンパクトに設置し得ると共に、転倒防止対象家具類を強固に保持し得るようにした家具等の住宅備え付け設備の転倒防止具の提案をなすものである。
【課題を解決するための手段】
【００１２】
前記課題を解決するために、この発明は、壁に対する取付部と、当該取付部から突き出されているアーム部と、このアーム部に備えられている雌ねじ孔部に螺合されて上下方向に螺動自在とされるロッド体とを備え、
前記取付部で壁に止着され、かつ、螺動される前記ロッド体を家具等の転倒防止対象物の上面に押しつけ得るようにしてあることを特徴とする転倒防止具としてある。
【００１３】
このように構成される転倒防止具は、比較的に目立たない態様で家具等の転倒防止対象物に組み付け得るものであって、特に、壁に沿って設置される家具等であって、転倒防止対象物とされる各種の備え付け設備が、例えば、その背丈にばらつきを有する場合であっても、都合良くロッド体による押しつけ処理の対象とされ、効果的に転倒の防止がなされ、しかも、この各背丈の異なる転倒防止対象物の押しつけに用いられるロッド体部分が壁際に長尺状に林立されることもなく、すっきりとした壁際空間を構成することができる。
【００１４】
また、かかる転倒防止具は、転倒防止対象物の設置対応天井部分の構造や強度等に何等の配慮を施すことなく、また、当該設置対応天井部分に補強処理を施す等の処置をなすことなく、壁際の任意の位置に当該壁によって転倒防止対象物を支持し得るように設置することができる。
【００１５】
また、かかる転倒防止具は、転倒防止対象物を、その設置面に向けてロッド体で押しつけ固定するようにあいてあることから、家具等の転倒防止対象物に対して釘の打ち込みや、木ねじのねじ入れ等をなす必要がなく、家具等の転倒防止対象物自体を毀損する不都合がない。
【００１６】
また、かかる転倒防止具は、家具等の転倒防止対象物を単にロッド体を用いて当該転倒防止対象物の設置面に向けて押しつけているに過ぎないことから、その取付状態を解放して当該転倒防止対象物の設置位置から移動させることができ、当該転倒防止対象物の修理、清掃、取り替え等を容易になすことができ、また、この転倒防止対象物を移動して当該転倒防止対象物の設置面や、その周辺、特に、当該転倒防止対象物の設置背後方にある壁面等の補修、清掃等を容易になすことができる。
【００１７】
また、前記構成にかかる転倒防止具にあって、前記取付部を上下方向に長い板状取付部としてあることを特徴とする転倒防止具では、当該転倒防止具を壁に対して強固に止着することができ、例えば、壁の各構成材に対して確実に当該転倒防止具を止着することができる。かかる転倒防止具は、例えば、壁の各構成材、例えば、縦向きにある構成材に対して都合良く密着して止着することができ、また、壁を構成する横向きの構成材間にわたるようにして止着することができる。
【発明の効果】
【００１８】
この発明に係る転倒防止具は、家具等の転倒防止対象物の背丈に追随して目立たない状態で当該転倒防止対象物の転倒を防止し得るように設置用い得るものであって、天井部の構造に関係なく当該転倒防止対象物を任意位置に設置し得ると共に、当該設置転倒防止対象物に取付傷等をもたらすことなく容易に当該転倒防止対象物を随意に壁から取り外し移動させて、転倒防止対象物の補修、清掃や当該転倒防止対象物の備え付け壁面、床面等の補修、清掃等を容易になすことができる特長を有している。
【発明を実施するための最良の形態】
【００１９】
以下、この発明を実施するための最良の形態に係る転倒防止具Ａについて説明する。
【００２０】
なお、ここで図１は当該発明を実施するための最良の形態に係る転倒防止具Ａを斜め上方から見た状態を、図２は、この転倒防止具Ａを用いている状態の要部を側面から見て拡大断面の状態で、図３は、この転倒防止具Ａを家具等の転倒防止対象物Ｂに用いている状態を正面側から見て、図４は、更に、これを側方から見て断面してそれぞれ示している。
【００２１】
この発明を実施するための最良の形態に係る転倒防止具Ａは、壁Ｃに対する取付部１０と、当該取付部１０から突き出されているアーム部１１と、このアーム部１１に備えられている雌ねじ孔部１２に螺合されて上下方向に螺動自在とされるロッド体１３とを備え、
前記取付部１０で壁Ｃに止着され、かつ、螺動される前記ロッド体１３を家具等の転倒防止対象物Ｂの上面Ｂａに押しつけ得るようにしてあることを特徴とする転倒防止具Ａとしてある。
【００２２】
かかる転倒防止具Ａは、壁Ｃに取り付けられ、しかも、螺動されるロッド体１３によって家具等の転倒防止対象物Ｂの上面Ｂａを押しつけ得るものであれば、いかなる態様に構成してあっても、また、いかなる素材によって構成してあってもよい。
【００２３】
すなわち、取付部１０が壁Ｃに対して取り付けうる形状を備え、この取付部１０から突き出されて備えられているアーム部１１が、前記取付部１０において当該転倒防止具Ａを壁Ｃに止着した際に、このアーム部１１に備えられる雌ねじ孔部１２に螺合されるロッド体１３が、壁Ｃに沿って設置される家具等の転倒防止対象物Ｂの上面Ｂａを都合良く押しつけ得る長さに構成してあり、しかも、当該ロッド体１３が転倒防止対象物Ｂの上面Ｂａを都合良く押しつけ得る位置に雌ねじ孔部１２を備えるようにしてある以外の構成は、いかなる態様に構成してあってもよい。
【００２４】
例えば、取付部１０と、雌ねじ孔部１２を備えたアーム部１１とを金属材やプラスチック材等によって一体的に、例えば、鋳込み型への鋳込みや金型に対する射出等適宜の一体成形手段によってつくってあっても、また、取付部１０にアーム部１１を溶接等の適宜の手段を用いて一体に止着し、かつ、このアーム部１１に雌ねじ孔部１２を、例えば、当該アーム部１１に対するねじ孔の穿設や、ナット部材の溶接等によって設けるようにしてあってもよい。
【００２５】
また、この雌ねじ孔部１２に螺合されるロッド体１３は、上下方向に向けて螺動されて、家具等の転倒防止対象物Ｂの上面Ｂａを押しつけうる構成を備えておれば、いかなる態様に構成してあってもよい。例えば、前記雌ねじ孔部１２に螺合する雄ねじを外周面に備えたねじロッド部２０（螺桿部）を中央部分に備え、その上部側に当該ロッド体１３を雌ねじ孔部１２に螺進退させるように回転させる回転操作部３０を、また、その下部側に家具等の転倒防止対象物Ｂの上面Ｂａに押しつけられる圧接部４０を備えた構成とすることができる。
【００２６】
また、この圧接部４０は、前記ねじロッド部２０のねじ回し（回転）に伴ってまわるように構成してあっても、また、このねじロッド部２０のねじ回し時に供回りをしないように構成してあってもよい。また、かかる圧接部４０は、一枚の圧接盤によって構成してあっても、また、複数枚の板材の積層体によって構成してあってもよい。また、かかる圧接部４０は、硬質材や半硬質材のみによって構成してあっても、硬質材や半硬質材と軟質材や弾性材との組合せたものとして構成してあっても良い。
【００２７】
このように構成される転倒防止具Ａは、比較的に目立たない態様で家具等の転倒防止対象物Ｂに組み付け得るものであって、特に、壁Ｃに沿って設置される家具Ｂ’等であって、転倒防止対象物Ｂとされる各種の備え付け設備が、例えば、その背丈にばらつきを有する場合であっても、都合良くロッド体１３による押しつけ処理の対象とされ、効果的に転倒の防止がなされ、しかも、この各背丈の異なる転倒防止対象物Ｂの押しつけに用いられるロッド体１３部分が壁際に長尺状に林立されることもなく、すっきりとした壁際空間を構成することができる。
【００２８】
また、かかる転倒防止具Ａは、転倒防止対象物Ｂの設置対応天井部分の構造や強度等に何等の配慮を施すことなく、また、当該設置対応天井部分に補強処理を施す等の処置をなすことなく、壁際の任意の位置に当該壁Ｃによって転倒防止対象物Ｂを支持し得るように設置することができる。
【００２９】
また、かかる転倒防止具Ａは、転倒防止対象物Ｂを、その設置面に向けてロッド体１３で押しつけ固定するようにしてあることから、家具等の転倒防止対象物Ｂに対して釘の打ち込みや、木ねじのねじ入れ等をなす必要がなく、家具等の転倒防止対象物Ｂ自体を毀損する不都合がない。
【００３０】
また、かかる転倒防止具Ａは、家具等の転倒防止対象物Ｂを単にロッド体１３を用いて当該転倒防止対象物Ｂの設置面に向けて押しつけているに過ぎないことから、その取付状態を解放して当該転倒防止対象物Ｂを、その設置位置から移動させることができ、当該転倒防止対象物Ｂの修理、清掃、取り替え等を容易になすことができ、また、この転倒防止対象物Ｂを移動して当該転倒防止対象物Ｂの設置面や、その周辺、特に、当該転倒防止対象物Ｂの設置背後方にある壁面等の補修、清掃等を容易になすことができる。
【００３１】
また、前記構成にかかる転倒防止具Ａにあって、前記取付部１０を上下方向に長い板状取付部１０’としてあることを特徴とする転倒防止具Ａでは、当該転倒防止具Ａを壁Ｃに対して強固に止着することができ、例えば、壁Ｃの各構成材に対して確実に当該転倒防止具Ａを止着することができる。かかる転倒防止具Ａは、例えば、壁Ｃの各構成材、例えば、縦向きにある構成材に対して都合良く密着して止着することができ、また、壁Ｃを構成する横向きの構成材間にわたるようにして止着することができる。かかる転倒防止具Ａは、例えば、木造軸組工法にあっては柱、間柱に対して当該転倒防止具Ａをより都合良く確実に止着することができる。また、例えば、ツーバイフォー工法にあっては壁枠組材、例えば、縦枠材に対して都合良く確実に止着することができる。
【００３２】
ついで、図１〜図４に示される典型的な転倒防止具Ａ及びその使い勝手の典型例を具体的に説明する。
【００３３】
この図１〜図４に示される転倒防止具Ａは、壁Ｃに対する取付部１０と、当該取付部１０から突き出されているアーム部１１と、このアーム部１１に備えられている雌ねじ孔部１２に螺合されて上下方向に螺動自在とされるロッド体１３とを備え、
前記取付部１０で壁Ｃに止着され、かつ、螺動される前記ロッド体１３を家具等の転倒防止対象物Ｂの上面Ｂａに押しつけ得るようにしてある。
【００３４】
この図示例に係る転倒防止具Ａを構成する取付部１０は当該転倒防止具Ａを容易かつ確実に壁Ｃに止着し得る形状を有するものとしてあり、この図示例にあっては、上下方向に長い長方形状をなす板状取付部１０’として構成してあり、一方側の面を壁面に密着して添装し得る平坦面とし、他方の面を当該面から突出されるアーム部１１の突設面として構成してある。
【００３５】
また、この板状取付部１０’には、この板状取付部１０’に突設されているアーム部１１によって妨げられない部分に当該転倒防止具Ａを壁Ｃに止着するためのビス孔１０ａが適宜設けてある。
【００３６】
かかる板状取付部１０’から前方に向けて突き出し状態に備えられているアーム部１１は、当該アーム部１１に備えられる雌ねじ孔部１２が、当該雌ねじ孔部１２に螺挿されるロッド体１３によって別途壁Ｃに沿って設置される家具等の転倒防止対象物Ｂの上面Ｂａを都合良く押圧できる位置に位置づけ得る十分な突き出し寸法を備えたものとしてある。
【００３７】
かかるアーム部１１は、この図示例にあっては、前記板状取付部１０’の面からほぼ直角に前方に突き出すように当該板状取付部１０’に一体的に備えられている突き出し平板状部１１ａと、この突き出し平板状部１１ａの上面と前記板状取付部１０’の前面側の面との間にわたるように当該突き出し平板状部１１ａと板状取付部１０’とに一体的に備えられた補強板部１１ｂとを備えており、この図示例にあっては、板状取付部１０’と突き出し平板状部１１ａとが交わる隅部に直角部分を納めるようにした直角三角形の板状材によって当該補強板部１１ｂが構成してある。
【００３８】
かかるアーム部１１に備えられている雌ねじ孔部１２は、ほぼ垂直の状態でロッド体１３における雄ねじを外周面に備えたねじロッド部２０（螺桿）を都合良く螺入し得る構成としてあり、ロッド体１３を上下方向に螺動し得るように設けてある。
【００３９】
この図示例に係る雌ねじ孔部１２は、前記突き出し平板状部１１ａの先端部に設けてある孔１２ｂにねじ孔を一致させるようにナット状部材１２ａを当該突き出し平板状部１１ａの上面に溶接等によって一体的に設けることによって構成してある。
【００４０】
なお、この図示例にあっては、当該アーム部１１の強度を増す目的から前記補強板部１１ｂの側部、この図示例にあっては、ほぼ直角三角形の板状材における一つの鋭角部分をカットした角カット部とし、ナット状部材１２ａの側面に当該角カット部を溶接等適宜の手段によって一体的に止着するようにしてある。
【００４１】
ついで当該転倒防止具Ａを構成するロッド体１３は、この図示例にあっては、前記雌ねじ孔部１２に螺挿されている比較的長い直棒状のねじロッド部２０と、当該ねじロッド部２０の上部側に備えられる操作部３０と、当該ねじロッド部２０の下部側に備えられる圧接部４０とを備えた構成としてある。
【００４２】
まず、このねじロッド部２０は、その外周面に前記雌ねじ孔部１２に螺合される雄ねじ部２０ａを備えた円棒状としてあり、この雌ねじ孔部１２に螺挿されているロッド体１３によって家具等の転倒防止対象物Ｂを確実に床Ｄ面に押しつけて、地震時における移動を効果的に阻止し得る螺動長さを有するものとしてある。
【００４３】
そして、この雌ねじ孔部１２に螺挿されているねじロッド部２０の上部側には当該ねじロッド部２０よりもやや直径の大きい円柱状の操作部３０を当該ねじロッド部２０と同心上に延設してあり、この操作部３０に貫通して設けられている直径方向を向いた孔３０ａに操作棒３１を挿通してあり、当該ロッド体１３の軸線に直交する向きにある操作棒３１を用いて当該ロッド体１３を螺動操作し得る構成としてある。なお、この孔３０ａに挿通されている操作棒３１はロッド体１３の螺動操作に都合良く用い得るように自在に左右方向に移動しうる細身の棒状体としてあり、この棒状体の一端部を太径頭部とし且つ他端部を圧潰した幅広板状部としてそれぞれ抜け止め部を備えた構成してある。
【００４４】
かかる雌ねじ孔部１２に螺挿されているねじロッド部２０の下部側に備えられている圧接部４０は、このねじロッド部２０の下端部に当該ねじロッド部２０に一体に備えられている当該ねじロッド部２０と同心の円盤体部４４を回転自在に受け入れて構成してある。かかる円盤体部４４とねじロッド部２０とは同一の軸線上に設けられた円盤及び円棒として構成してある。
【００４５】
かかる圧接部４０は、前記ねじロッド部２０に一体に備えられている円盤体部４４と、円盤状をなす圧接プレート４１と、この圧接プレート４１の下面に密着して当該圧接プレート４１に一体的に備えられている円盤状をなす緩衝プレート４２と、圧接プレート４１の中央に前記ねじロッド部２０を直立状態に保持するように円盤体部４４を受け入れ保持する保持体４３とを備えた構成してある。この圧接部４０を構成する保持体４３は、円板の中央部分を上方に向けて絞り込んむことによって下方に開口するように形成される円形収納凹部４３ａを備えると共に当該円形収納凹部４３ａの周側部から側方に延びる鍔４３ｃ部を備え、かつ、円形収納凹部４３ａの中央部に前記円盤体部４４に一体に備えられているねじロッド部２０の挿通される孔４３ｂを備えた構成としてある。
【００４６】
なお、前記緩衝プレート４２は、転倒防止具Ａにおけるロッド体１３の締め込みに際して家具Ｂ’の上面Ｂａを当該ロッド体１３の操作に際して傷つける不具合を回避し、また、地震発生に際して当該ロッド体１３における圧接部４０が家具Ｂ’の上面Ｂａに密着し続け得るように各種エラストマーや各種プラスチックフォーム材等の弾性を有し、かつ、接触抵抗の高い素材によって構成することが好ましい。かかる弾性を備え、かつ、接触抵抗の高い素材によって緩衝プレート４２を構成することによって、地震発生時における衝撃を当該緩衝プレート４２において吸収し、かつ、圧雪部４０の滑り移動を阻止して安定に家具等の転倒防止対象物Ｂを床Ｄとの間に挟み付け保持するようにしてある。
【００４７】
かかる保持体４３における孔４３ｂの下方からねじロッド部２０を上方に突き出すようにして前記円盤体部４４を円形収納凹部４３ａに納め入れ、この状態で圧接プレート４１に接している当該保持体４３における鍔４３ｃをビス４３ｄを用いて該圧接プレート４１に止着してあり、ねじロッド部２０を圧接部４０に対して回転自在かつ直立状態に支持してある。
【００４８】
かかる構成よりる転倒防止具Ａを、箪笥、本箱、下駄箱、食器戸棚、サイドボード等の各種家具Ｂ’、各種キャビネット類、冷蔵庫、電子レンジ等の各種家電機器類その他の各種備え付け設備類等の転倒防止対象物Ｂの設置対象位置における各高さに対応するように壁Ｃにビス１４を用いて止着用意する。
【００４９】
かかる転倒防止具Ａの壁Ｃに対する取付は、典型的には、壁Ｃの構成材、より理想的には縦向きにある当該壁Ｃの構成材、さらに理想的には、柱や間柱に対して縦向きに長い板状取付部１０’をビス１４を用いて確実に止着する。この図示例にあっては、壁Ｃを構成するクロスＣｃ張りしたボードＣｂを介して間柱Ｃａに対して直接ビス１４で当該転倒防止具Ａを止着してある。
【００５０】
かかる転倒防止具Ａは、この壁Ｃに備えられる転倒防止具Ａのロッド体１３が家具等の転倒防止対象物Ｂの上面Ｂａに都合良く接して当該転倒防止対象物Ｂを床Ｄ面に向けて確実に押しつけ得る高さ位置に取り付け用意される。
【００５１】
かかる転倒防止具Ａを用いて床Ｄに設置されている家具等の転倒防止対象物Ｂの上面Ｂａにロッド体１３の圧接部４０を接しさせると共に、当該ロッド体１３を螺動し、この圧接部４０と床Ｄとの間で当該家具等の転倒防止対象物Ｂを挟みつけるように固定する。
【００５２】
かかる転倒防止具Ａは、転倒防止対象物Ｂが横長である場合、所定間隔毎に当該転倒防止具Ａを用いて家具等の転倒防止対象物Ｂを固定することが好ましく、この図示例にあっては、より効率的に、家具Ｂ’における横方向における両端位置で当該家具Ｂ’を該転倒防止具Ａを用いて床Ｄ面に向けて押しつけ固定するようにしてある。
【００５３】
このように転倒防止具Ａのロッド体１３と床Ｄ面との間で挟みつけるように床Ｄ面に当該転倒防止具Ａによって固定していた家具等の転倒防止対象物Ｂは、このロッド体１３を緩める向きに螺動することによって移動可能とされ、適宜、必要に応じて当該転倒防止対象物Ｂを移動、修理し、掃除をなし、あるいは、当該転倒防止対象物Ｂの設置部分の修繕や掃除等をなすことができる。
【図面の簡単な説明】
【００５４】
【図１】典型的な転倒防止具の取り付け状態を示す斜視図
【図２】同典型的な使用状態の要部を側面側から見て示す断面図
【図３】同典型的な使用状態の正面図
【図４】同典型的な使用状態を側面側から見て示す断面図
【符号の説明】
【００５５】
Ａ  転倒防止具
Ｂ  転倒防止対象物
Ｂａ  上面
１０  取付部
１１  アーム部
１２  雌ねじ孔部
１３  ロッド体
【図１】
2007143642.tif 000003
【図２】
2007143642.tif 000004
【図３】
2007143642.tif 000005
【図４】
2007143642.tif 000006